(57)【要約】【課題】文字と背景との境界を鮮明かつ精細にする。【解決手段】コントローラ１０６は、画素電極１１１、画素１１２及びＴＦＴ１１３から構成される１画素分の液晶表示素子１１０を２つで１ドットとして制御する。これにより、液晶表示装置１００では、同様に横ラインを表示するとき、微視的にも文字表示に使用される液晶表示素子と背景として使用される液晶表示素子との境界線が凹凸になることがなく、図線、図形、文字表示に適したストライプ型の画素配置を有する液晶表示装置により近い文字表示ができる。【選択図】図５
2006162708.tif 000002
【特許請求の範囲】
【請求項１】
複数の走査線及び該走査線と交差して設けられた複数の信号線を有し上記複数の走査線と上記複数の信号線との交差部分に画素電極と共通電極と液晶層とを有する画素が矩形状に形成され各色成分セルがデルタ型に配列された液晶表示装置において、
上記矩形状に形成されデルタ型に配列される赤色成分セル、緑色成分セル及び青色成分セルからなる１画素を垂直方向と水平方向とのサイズ比が略１になるように選択される画素集合を１ドットとして表示制御する制御手段を備えることを特徴とする液晶表示装置。
【請求項２】
複数の走査線及び該走査線と交差して設けられた複数の信号線を有し上記複数の走査線と上記複数の信号線との交差部分に画素電極と共通電極と液晶層とを有する画素が矩形状に形成され各色成分セルがデルタ型に配列された液晶表示装置の駆動方法において、
上記矩形状に形成されデルタ型に配列される赤色成分セル、緑色成分セル及び青色成分セルからなる１画素を垂直方向と水平方向とのサイズ比が略１になるように選択される画素集合を１ドットとして表示制御することを特徴とする液晶駆動方法。
【請求項３】
フォーマットが異なる複数のコンテンツデータを記録媒体から読み出す及び／又は記録媒体に書き込むことが可能なデータ記録再生装置において、
上記記録媒体からデータを再生する再生手段と、
使用者によって再生すべきコンテンツデータが選択される操作入力手段と、
再生されたコンテンツデータを表示する液晶表示手段とを備え、
上記液晶表示手段は、複数の走査線及び該走査線と交差して設けられた複数の信号線を有し上記複数の走査線と上記複数の信号線との交差部分に画素電極と共通電極と液晶層とを有する画素が矩形状に形成され各色成分セルがデルタ型に配列されており、上記矩形状に形成されデルタ型に配列される赤色成分セル、緑色成分セル及び青色成分セルからなる１画素を垂直方向と水平方向とのサイズ比が略１になるように選択される画素集合を１ドットとして表示制御する制御手段を備えることを特徴とするデータ記録再生装置。
【発明の詳細な説明】
【技術分野】
【０００１】
本発明は、液晶表示装置及びその駆動方法に関し、特に表示される文字を精細にする液晶表示装置及び液晶駆動方法に関する。また、この液晶表示装置を備えるデータ記録再生装置に関する。
【背景技術】
【０００２】
液晶ディスプレイ（Liquid Crystal Display）は、ＣＲＴ（Cathode Ray Tube）等に比べて、視野角が狭く、特にあるディスプレイ平面のある一方向（上下方向等）の視野角が狭い点が技術的課題となっていた。しかし、液晶ディスプレイに関するこの課題は、例えば、特許文献１に示す技術によって改良され、更に、特許文献２等の技術により解決されたことにもより、ＬＣＤは、携帯型電話機、携帯型情報処理端末等の電子機器の表示部として需要が拡大しつつある。近年では、更なる大画面化、高精細化、鮮明化が進んでいる。
【０００３】
液晶ディスプレイを構成する液晶表示素子の配列には、一般的にストライプ配列、デルタ配列、モザイク配列等がある。ストライプ配列は、ＲＧＢをストライプ状に配列したものであり、線、図形、文字表示に適している。そのため、パーソナルコンピュータ等の高精細ディスプレイに最適である。図１０には、液晶表示素子がストライプ配列とされた液晶パネルに、一例として、撥音の「○」等に代表される記号を表示した例を示す。ストライプ配列の液晶ディスプレイでは、文字の直線部分が鮮明に表現できる。
【０００４】
また、モザイク配列は、ＲＧＢの同一色の発光セルが斜め方向に連続するような配置である。また、デルタ配列は、ＲＧＢの発光セルが三角形になる配列である。モザイク配列、デルタ配列の液晶ディスプレイでは、ストライプ配列と比べて、より自然な画像が得られる。
【０００５】
【特許文献１】特開平６−１９４６５５号公報
【特許文献２】特開２００４−１９１５８１号公報
【発明の開示】
【発明が解決しようとする課題】
【０００６】
しかし、デルタ配列の液晶ディスプレイを例に取ると、このタイプの液晶ディスプレイは、線、図形、文字表示に適さないため、主として画像を表示する表示装置では最適であるものの、線、図形、文字を表示する局面において、文字と背景との境界線、特に横ラインにおいて境界部分における滲みや揺れが現れる。更にデルタ配列の液晶ディスプレイにおいて、表示された文字をスクロール表示などのように動的に表示する場合には、文字境界の滲みや文字揺れが顕著になる。
【０００７】
そこで本発明は、文字表示に適さない液晶素子配列に対して文字輪郭を精細に表示できる液晶表示装置及び液晶駆動方法、並びにこの液晶表示装置を適用したデータ記録再生装置を提供することを目的とする。
【課題を解決するための手段】
【０００８】
本発明に係る液晶表示装置は、複数の走査線及び該走査線と交差して設けられた複数の信号線を有し複数の走査線と複数の信号線との交差部分に画素電極と共通電極と液晶層とを有する画素が矩形状に形成され各色成分セルがデルタ型に配列された液晶表示装置において、矩形状に形成されデルタ型に配列される赤色成分セル、緑色成分セル及び青色成分セルからなる１画素を垂直方向と水平方向とのサイズ比が略１になるように選択される画素集合を１ドットとして表示制御する制御手段を備えることにより、上述した目的を達成する。
【０００９】
また、本発明に係る液晶駆動方法は、複数の走査線及び該走査線と交差して設けられた複数の信号線を有し複数の走査線と複数の信号線との交差部分に画素電極と共通電極と液晶層とを有する画素が矩形状に形成され各色成分セルがデルタ型に配列された液晶表示装置の駆動方法において、矩形状に形成されデルタ型に配列される赤色成分セル、緑色成分セル及び青色成分セルからなる１画素を垂直方向と水平方向とのサイズ比が略１になるように選択される画素集合を１ドットとして表示制御することを特徴とする。
【００１０】
更に、本発明に係るデータ記録再生装置は、フォーマットが異なる複数のコンテンツデータを記録媒体から読み出す及び／又は記録媒体に書き込むことが可能なデータ記録再生装置において、記録媒体からデータを再生する再生手段と、使用者によって再生すべきコンテンツデータが選択される操作入力手段と、再生されたコンテンツデータを表示する液晶表示手段とを備え、液晶表示手段は、複数の走査線及び該走査線と交差して設けられた複数の信号線を有し複数の走査線と複数の信号線との交差部分に画素電極と共通電極と液晶層とを有する画素が矩形状に形成され各色成分セルがデルタ型に配列されており、矩形状に形成されデルタ型に配列される赤色成分セル、緑色成分セル及び青色成分セルからなる１画素を垂直方向と水平方向とのサイズ比が略１になるように選択される画素集合を１ドットとして表示制御する制御手段を備えることにより、上述した目的を達成する。
【発明の効果】
【００１１】
本発明によれば、文字表示に適さない液晶素子配列を有していても、文字輪郭を精細にできる。特に、決められた領域に決められた文字を表示することが決まってるような画面以外の表示を行うとき、例えばユーザによって入力されるために予め用意しておくことができないような文字配列をスクロール表示するときなどでも精細な文字を表示できる。
【発明を実施するための最良の形態】
【００１２】
本発明の具体例として示す液晶表示装置について、図面を参照して詳細に説明する。この液晶表示装置１００は、機能的には画像を表示する液晶表示部と液晶駆動部とに分かれる。液晶表示部は、例えば、ＴＦＴ方式による液晶パネル１０１であり、液晶パネル１０１には、後述する対向電極１０２が設けられ、図示しない液晶表示素子がデルタ配列で設けられている。液晶駆動部は、信号線駆動部としてのソースドライバ１０３と、走査線駆動部としてのゲートドライバ１０４と、液晶駆動電源１０５と、コントローラ１０６とを備えている。
【００１３】
ソースドライバ１０３は、ＩＣからなる複数のソースドライバ１０３部を備え、ゲートドライバ１０４は、同様にＩＣからなる複数のゲートドライバ部を備えている。
【００１４】
ソースドライバ１０３及びゲートドライバ１０４は、一般的には、配線が形成されたフィルム上に先のＩＣチップを搭載した、例えばＴＣＰ（Tape Carrier Package）からなり、このＴＣＰが液晶パネル１０１のＩＴＯ（Indium Tin Oxide：インジウム−スズ酸化膜）端子上に実装され、液晶パネル１０１と接続されている。また、上述したＩＣチップをＡＣＦ（Anisotropic Conductive Film：異方性導電膜）を介して直接、液晶パネル１０１のＩＴＯ端子に熱圧着して実装され、液晶パネル１０１と接続された構成となっている。
【００１５】
コントローラ１０６は、ソースドライバ１０３に表示データＤ及び制御信号（スタートパルスＳＰ等）を入力する一方で、ゲートドライバ１０４には垂直同期信号ＶＳを入力する。さらに、ソースドライバ１０３及びゲートドライバ１０４に水平同期信号ＬＳを入力する。
【００１６】
液晶パネル１０１には、画素電極１１１、画素１１２、画素電極１１１への電圧印加をオン・オフ制御するＴＦＴ１１３、ソースライン（信号線）１１４、ゲートライン（走査線）１１５及び対向電極（共通電極ともいう。）１１６が設けられている。１画素分の液晶表示素子１１０は、画素電極１１１、画素１１２及びＴＦＴ１１３から構成されている。
【００１７】
対向電極１０２は、図１に示すように、ｎ本（ｎは正の整数）のゲートラインがｋ本毎に異なるグループとして振り分けられている。また、隣り合う複数本のゲートライン毎にグループ分けされている。これら各グループの対向電極１０２には、ソースドライバ１０３に内蔵されたＶｃｏｍ調整回路１１６よりそれぞれ独立に対向電極電圧Ｃが与えられる。
【００１８】
例えば、液晶パネル１０１の全ての対向電極１０２が、グループＧ１、グループＧ２及びグループＧ３にグループ分けされている場合、Ｖｃｏｍ調整回路１１６からは、これらＧ１〜Ｇ３グループの対向電極１０２に対して、それぞれ対向電極電圧Ｃ１，Ｃ２，Ｃ３が与えられる。
上記の構成において、液晶表示装置１００における表示動作について説明する。外部から入力された表示データは、コントローラを介してデジタル信号である表示データＤとしてソースドライバ１０３に入力される。ソースドライバ１０３は、入力された表示データＤを時分割して各ソースドライバにラッチし、その後、コントローラ１０６から入力される水平同期信号ＬＳに同期してＤＡ変換する。そして、時分割された表示データＤをＤＡ変換して成る階調表示用のアナログ電圧（以下、階調電圧と称する）を、ソースライン１１４を介して、液晶パネル１０１の対応する液晶表示素子に出力する。
【００１９】
ソースライン１１４には、ソースドライバ１０３から、表示対象画素の明るさに応じた階調電圧が与えられる。一方、ゲートライン１１５には、ゲートドライバ１０４から列方向に並んでＴＦＴ１１３を順次オンするような走査信号が与えられる。そして、オン状態のＴＦＴ１１３を介して、ＴＦＴ１１３のドレインに接続された対向電極１０２にソースライン１１４の階調電圧が印加され、対向電極１０２と画素電極１１１との間の画素１１２に蓄積される。これにより、階調電圧に応じて液晶の光透過率を変化させ、画素表示が行なわれる。
【００２０】
また、本具体例では、ソースドライバ１０３に内蔵されたＶｃｏｍ調整回路１１６より、第１グループＧ１、第２グループＧ２及び第３グループＧ３の３組の対向電極１０２にそれぞれ対向電極電圧Ｃ１，Ｃ２，Ｃ３が与えられる。
【００２１】
液晶表示装置１００は、液晶層に印加する電圧をアナログ電圧として変化させることによって、液晶の光透過率をアナログ的に変化させて多階調表示を実現している。更に、液晶表示装置１００は、上述したように、対向電極１０２を複数のグループＧ１、Ｇ２、Ｇ３・・・に分割し、ソースドライバ１０３が備えるＶｃｏｍ調整回路１１６から上記各グループの対向電極１０２に対して異なる対向電極電圧Ｃ１，Ｃ２，Ｃ３、・・・を印加する構成となっている。
【００２２】
本発明の具体例として示す液晶表示装置１００におけるコントローラ１０６は、画素電極１１１、画素１１２及びＴＦＴ１１３から構成される１画素分の液晶表示素子１１０を垂直方向と水平方向とのサイズ比が略１になるように選択される画素集合で１ドットとして表示制御する点が特徴である。本具体例では、２画素を１ドットとして制御する場合について説明する。
【００２３】
図２〜図６は、デルタ型の液晶表示素子配列を有する液晶パネルを模式的に示しており、セルＲは赤色発色セルを表し、セルＧは緑色発色セルを表し、セルＢは青色発色セルを表す。ＲＧＢによって１画素が構成されている。本具体例として示す液晶表示素子の１画素を構成する各色成分セルは、矩形状に形成されており、特に、縦対横比が３：２程度であるものとする。略この比率で構成される液晶表示素子は、２画素で１ドットを構成すると、１ドットを歪みなく表現できる。
【００２４】
通常の液晶表示装置では、図２に示すように１画素を１ドットして制御されている。そのため、通常の液晶表示装置では、例えば、文字を構成する横ラインは、図３に示すようになる。すなわち、巨視的には横ラインを表示できていても、微視的には文字表示に使用される液晶表示素子と背景として使用される液晶表示素子との境界線が凹凸になる。
【００２５】
これに対して、コントローラ１０６は、図４に示すように、１画素分の液晶表示素子１１０を２つで１ドットとして制御している。したがって、液晶表示装置１００では、同様に横ラインを表示するとき、図５に示すように、微視的にも文字表示に使用される液晶表示素子と背景として使用される液晶表示素子との境界線が凹凸になることがない。
【００２６】
一例として、撥音の「○」等に代表される記号を表示する場合、通常の液晶表示装置による表示例を図６に、また液晶表示装置１００による表示例を図７に示す。図７に示す液晶表示装置１００では、図線、図形、文字表示に適したストライプ型の画素配置を有する液晶表示装置により近い文字表示ができる。
【００２７】
２画素を１ドットとして制御すると、ある画素数四方の画素マトリクスをフォントサイズ単位とする１文字は、表示領域のどこで表示されても、画素マトリクスにおける同じ画素を使用して表示できることになる。したがって、２画素を１ドットとして制御する液晶表示装置１００では、表示した文字をスクロール表示するときにも文字揺れがなく精細な表示が可能である。
【００２８】
通常の液晶表示装置においても、文字と背景との境界が鮮明になるように画面に表示する文字の書体（フォント）を作成することは可能であり、このようにして文字境界やライン等を精細に表示する方法は、実際に行われている。ある文字、或いは特定のメッセージが表示領域の特定場所に必ず表示されるような画面構成になっている場合には、表示する文字と背景とを１画像であるかのように作り込んでＲＯＭ等に予め用意し、必要なときに一画面として背景とともに構成されたフォントを実行すれば、通常の表示装置でも文字境界の精細化が実現できる。しかし、例えば、ユーザから入力された文字を表示する場合には、精細にみえるように作り込んだ画像として予め用意することができない。更には入力された文字をスクロール表示する場合には、文字揺れ、色滲み等が顕著に現れてしまう。
【００２９】
上述したように、作り込みのフォントを使用できないような場合、またフォントを動的に表示する場合等に、液晶表示装置１００のコントローラ１０６による制御は非常に有用である。また、図１には図示していないが、作り込みのフォントは、例えばフォントを格納するための表示フォントメモリ等に保持されているが、液晶表示装置１００のコントローラ１０６よる液晶駆動制御によれば、表示領域のどこで表示されても、画素マトリクスにおける同じ画素を使用すれば表示できるため、フォントメモリ容量も削減できるという利点がある。パーソナルコンピュータ等の一部の高価な情報処理装置を除けば、例えばデジタルカメラ、携帯型電話機等の携帯型電子機器は、小型化及び廉価化の要求が高まっており、その表示部としての液晶表示デバイスも、画面サイズ、メモリ容量等が制約される。そのため、液晶表示装置１００を電子機器の表示部に適用すれば、鮮明で精細な文字を表示できる。
【００３０】
以下では、本発明の具体例として示す液晶表示装置１００を電子機器に適用した例について図面を用いて説明する。
【００３１】
ここで電子機器として、ディスク状の光磁気記録媒体の一例としてミニディスク（登録商標）方式の記録媒体に対して、オーディオデータ、映像データ、コンピュータ用のデータ（以下、ＰＣデータという。）等を含むコンテンツデータを記録再生可能なコンテンツ記録再生装置をあげる。
【００３２】
本発明を適用した図８に示すコンテンツ記録再生装置１は、カメラとしての構成とオーディオ記録再生装置としての機能を備え、撮像した画像データを上述のミニディスクに記録したり、また再生したり、ミニディスクにオーディオデータを記録したり再生したりできる。このコンテンツ再生装置によって再生可能なミニディスクは、例えば、オーディオデータ、映像データ、ＰＣデータ等のように異なるフォーマットで作成された異なるデータを扱うことができ、認証によって使用可能となる秘匿領域と、認証することなく使用可能な通常記録領域とを有する。秘匿領域は、著作権が発生する音楽コンテンツ、映像コンテンツ等の特定のデータのみが記録できる領域であり、本具体例では、ＡＴＲＡＣ（Adaptive TRansform Acoustic Coding）方式、ＡＴＲＡＣ３方式、ＡＴＲＡＣ３ｐｌｕｓ方式等のＡＴＲＡＣ（登録商標）ファミリ形式のオーディオデータは、この秘匿領域に記録可能な特定データとして扱われる。ＭＰ３（MPEG1 Audio Layer-3）形式、ＷＭＡ（Windows（登録商標） Media Audio）形式等、ＡＴＲＡＣ以外のオーディオデータ、画像データ、テキストデータ等のデータは、通常記録領域に記録される。
【００３３】
図４に示すコンテンツ記録再生装置１は、データ記録再生制御部２と画像処理部３とを備えている。データ記録再生制御部２は、ミニディスク９０に対して記録再生を行う記録再生部４と、オーディオデータを入力するオーディオデータ入力部５と、オーディオデータを外部に出力するオーディオデータ出力部６と、オーディオデータに対して所定の圧縮伸長処理を施すオーディオデータ処理部７と、情報処理機器にデータを送受するための外部インターフェイス部８と、入力操作部９と、メモリ転送コントローラ１０と、補助メモリとしてのキャッシュメモリ１１と、システムコントローラ１２とを備えている。
【００３４】
画像処理部３は、ＣＣＤ（Charge Coupled Device）、レンズ部等で構成される画像取得部１３と、取得した画像データの一時格納場所としてのカメラデータバッファメモリ１４と、画像データに所定の圧縮伸長処理を施す画像データ処理部１５と、画像処理部３を統括する画像データ制御部１６とを備えている。
【００３５】
また、表示部ドライバ２１と、ＬＣＤパネル２２を有する液晶表示装置１００を表示部として備えている。図８の表示部ドライバ２１は、図１のソースドライバ１０３、ゲートドライバ１０４、液晶駆動電源１０５、コントローラ１０６に相当し、ＬＣＤパネル２２は、液晶パネル１０１に相当する。画像処理部３には、また表示される文字のフォント等が用意された表示フォントメモリ２３が設けられている。
【００３６】
また、コンテンツ記録再生装置１は、データ記録再生制御部２の外部インターフェイス部８として、ＵＳＢハブ１７，ＵＳＢインターフェイス１８及び１９を備えている。コンテンツ記録再生装置１は、外部インターフェイス部８によりクレードル８０に接続される。またコンテンツ記録再生装置１は、クレードル８０を介して、又は直接パーソナルコンピュータ（以下、ＰＣという。）８１と接続することができる。
【００３７】
コンテンツ記録再生装置１は、上述した構成を備え、異なるフォーマットで作成された各種コンテンツデータを記録可能なミニディスク９０を記録媒体として用いることにより、オーディオデータを記録できるほか、画像データを取得してミニディスク９０に記録することができる。また、外部インターフェイス部８を介してＰＣ等の情報処理機器と接続可能としたことで情報処理機器の外部ストレージとしても使用できる。
【００３８】
以下、図１に示す各構成について具体的に説明する。コンテンツ記録再生装置１においてメモリ転送コントローラ１０は、ミニディスク９０に記録されたフォーマットが異なる複数のコンテンツデータのうち記録再生部４で読み出された再生データ又は記録再生部４に供給する記録データの送受制御を行う。メモリ転送コントローラ１０は、入力操作部９を介してユーザに指示されたコンテンツデータをミニディスク９０から読み出しキャッシュメモリ１１に一時的に格納する制御を行う。
【００３９】
キャッシュメモリ１１は、記録再生部４によってミニディスク９０のデータトラックから高密度データクラスタ単位で読み出されたデータを上述したメモリ転送コントローラ１０の制御に基づいて一時的に格納するメモリである。キャッシュメモリ１１は、記録再生部４によってミニディスク９０から読み出されたＵＴＯＣデータ等の各種管理情報、秘匿領域に記録される著作権保護のための情報、データ改竄チェックのための情報、限定的にアクセスを許可する外部機器情報等をメモリ転送コントローラ１０の制御に基づいて記憶する。
【００４０】
システムコントローラ１２は、例えば、ミニディスク９０が記録再生部４に装填されると、ミニディスク９０の管理情報記録領域から管理情報等を読み出すよう記録再生部４に指示し、読み出されたＰＴＯＣ、ＵＴＯＣ等の管理情報等をメモリ転送コントローラ１０によってキャッシュメモリ１１に格納させる。また、システムコントローラ１２は、これらの管理情報を読み込むことによって、ミニディスク９０のトラック記録状態を把握している。また、システムコントローラ１２は、ＵＳＢインターフェイス１９、ＵＳＢハブ１７を介して接続されたＰＣ８１との間で通信可能である。システムコントローラ１２は、このＰＣ８１との間の通信制御を行って、ＰＣ８１からの書込要求、読出要求等のコマンドの受信、ＰＣ８１へのステイタス情報、その他の必要情報の送信等を行う。
【００４１】
システムコントローラ１２は、ＰＣ８１から、あるＦＡＴセクタの読出要求があった場合、記録再生部４に対して、読み出しを要求されたＦＡＴセクタを含むデータクラスタの読出を実行する旨の制御信号を与える。記録再生部４によって読み出されたデータクラスタは、メモリ転送コントローラ１０によってキャッシュメモリ１１に書き込まれる。但し、既にＦＡＴセクタのデータがキャッシュメモリ１１に格納されていた場合、記録再生部４による読出は必要ない。このとき、システムコントローラ１２は、キャッシュメモリ１１に書き込まれている高密度データクラスタのデータから、要求されたＦＡＴセクタのデータを読み出す制御信号を与え、ＵＳＢインターフェイス１９、ＵＳＢハブ１７を介して、ＰＣ８１に送信するための制御を行う。
【００４２】
また、システムコントローラ１２は、ＰＣ８１から、あるＦＡＴセクタの書込要求があった場合、記録再生部４に対して、書き込みが要求されたＦＡＴセクタを含むデータクラスタの読出を実行させる。読み出されたデータクラスタは、メモリ転送コントローラ１０によってキャッシュメモリ１１に書き込まれる。但し、既にこのＦＡＴセクタのデータがキャッシュメモリ１１に格納されていた場合は、記録再生部４による読出は必要ない。また、システムコントローラ１２は、ＰＣ８１から送信されたＦＡＴセクタの記録データを、ＵＳＢインターフェイス１９を介してメモリ転送コントローラ１０に供給し、キャッシュメモリ１１上で該当するＦＡＴセクタのデータの書き換えを実行させる。更にシステムコントローラ１２は、メモリ転送コントローラ１０に指示して、必要なＦＡＴセクタが書き換えられた状態でキャッシュメモリ１１に記憶されているデータクラスタのデータを記録データとして記録再生部４に転送させる。このとき、記録再生部４は、装着されている記録媒体であるミニディスクが対応している変調方式でデータクラスタの記録データを変調して書き込む。
【００４３】
なお、上述した記録再生制御は、データトラックを記録再生する際の制御であり、オーディオトラックに記録再生されるＭＤオーディオデータを記録再生する際のデータ転送は、オーディオデータ処理部７を介して行われる。
【００４４】
また、画像取得部１３で取得された画像データは、画像データ制御部１６、システムコントローラ１９を介してミニディスク９０に記録される。ミニディスク９０に記録される画像データは画像データ処理部１５によって所定の画像エンコードを施されデータ圧縮される。ミニディスク９０から読み出された画像データは、表示部１５において再生される。ミニディスク９０から再生された画像データは画像データ処理部１５において復号されデータ伸長処理される。また、コンテンツ記録再生装置１は、画像データ制御部１６に対して画像データが外部から入力される入力端子や外部へ画像データが出力される出力端子を備えるように構成されていてもよい。
【００４５】
コンテンツ記録再生装置１のほかの構成として、オーディオデータ処理部７に対する入力系としてオーディオデータ入力部５は、例えば、ライン入力回路／マイクロフォン入力回路等のアナログオーディオ信号入力部、Ａ／Ｄ変換器、及びデジタルオーディオデータ入力部を備える。また、オーディオデータ処理部１９は、ＡＴＲＡＣ圧縮エンコーダ／デコーダ、圧縮データのバッファメモリを備える。更に、オーディオデータ処理部７に対する出力系としてオーディオ出力部６は、例えばデジタルオーディオデータ出力部、Ｄ／Ａ変換器及びライン出力回路／ヘッドホン出力回路等のアナログオーディオ信号出力部を備えている。
【００４６】
記録媒体であるミニディスク９０に対してオーディオトラックが記録される第１の経路は、オーディオデータ処理部７にデジタルオーディオデータ、又はオーディオデータ入力部５のＡ／Ｄ変換器でアナログオーディオ信号から信号変換されたデジタルオーディオ信号が入力される場合である。入力されたリニアＰＣＭデジタルオーディオデータ、或いはアナログオーディオ信号で入力された後Ａ／Ｄ変換器で変換されて得られたリニアＰＣＭオーディオデータは、ＡＴＲＡＣ圧縮エンコードされ、キャッシュメモリ１１に蓄積される。その後、所定タイミング、例えばＡＤＩＰクラスタ相当のデータ単位でキャッシュメモリ１１から読み出され、記録再生部４に転送される。記録再生部４では、転送された圧縮データをＥＦＭ変調方式又はＲＬＬ（１−７）ＰＰ変調方式で変調してミニディスク９０の秘匿領域にオーディオトラックとして書き込む。
【００４７】
また、記録媒体であるミニディスク９０に対してオーディオトラックが記録される第２の場合は、パーソナルコンピュータ１００から秘匿領域に記録されることが許可されたオーディオデータが入力された場合である。この場合、パーソナルコンピュータ１００とシステムコントローラ１２との間でＵＳＢハブ１７，ＵＳＢインターフェイス１９を介してミニディスク９０に記録されるデータがオーディオデータとして秘匿領域に記録が許可されているデータであるか否かのチェックが行われ、ミニディスク９０の秘匿領域にオーディオデータとして記録が許可されたデータであることが認識された場合、システムコントローラ１２は、メモリ転送コントローラに対してパーソナルコンピュータ１００から入力される指定されたオーディオデータがミニディスク９０の秘匿領域に記録されるように、記録再生部４に指示を与える。
【００４８】
ミニディスク９０の秘匿領域への記録が許可された場合、パーソナルコンピュータ１００は、ＵＳＢハブ１７，ＵＳＢインターフェイス１８を介してオーディオデータファイルをメモリ転送コントローラに転送し、転送されたオーディオデータファイルは、キャッシュメモリ１１に一時的に記憶される。その後、所定タイミング、例えばＡＤＩＰクラスタ相当のデータ単位でキャッシュメモリ１１から読み出され、記録再生部４に転送される。記録再生部４では、転送された圧縮データをＥＦＭ変調方式又はＲＬＬ（１−７）ＰＰ変調方式で変調してミニディスク９０の秘匿領域にオーディオトラックとして書き込む。
【００４９】
記録再生部４は、ミニディスク９０から秘匿領域に記録されたオーディオトラックを再生する場合、再生データをＡＴＲＡＣ圧縮データ状態に復調してオーディオデータ処理部７に転送する。オーディオデータ処理部７は、ミニディスク９０から再生されたＡＴＲＡＣエンコードされたオーディオデータにＡＴＲＡＣ圧縮デコードを施してリニアＰＣＭオーディオデータとし、オーディオデータ出力部６からデジタルデータとして出力する。或いは、Ｄ／Ａ変換器によりアナログ音声信号としてライン出力／ヘッドホン出力を行う。
【００５０】
なお、ＰＣ８１との接続は、ＵＳＢに限らず、例えば、ＩＥＥＥ（The Institute of Electrical and Electronics Engineers,Inc.：アメリカ電気電子技術者協会）の定める規格に準拠した、いわゆるＩＥＥＥ１３９４インターフェイスのほか、汎用の接続インターフェイスが適用できる。
【００５１】
図９には、コンテンツ記録再生装置１の外観を示す。コンテンツ記録再生装置１は、入力操作部９として、カメラとして使用するときのシャッタ９ａと、矢印キー９ｂと、ボタン９ｃ等を備えている。また、コンテンツ記録再生装置１は、表示部であるＬＣＤパネル２２を背面に備えている。正面には、画像取得部１３を構成するレンズが露呈しており、レンズカバー１３１によって保護されている。レンズカバー１３１は、レンズを保護するとともに、開閉によってカメラモードかオーディオモードかを判別するために使用される。
【００５２】
図９に示すコンテンツ記録再生装置１において、表示部であるＬＣＤパネル２２には、例えば、カメラモードであれば撮影中の画像或いは過去に記録された画像が閲覧可能に表示され、オーディオモードであれば、アーティスト名、曲名等の楽曲情報、再生時間等が表示される。
【００５３】
ＬＣＤパネル２２に表示される画面のうち、例えば、装置自身の機能や設定を変更する画面では、ある選択項目が必ず特定の位置に表示される。そのため、この画面に表示される文字も含めて全体を一画像として構成し表示フォントメモリ２３等のＤＲＡＭに用意できて、鮮明かつ精細にみえるような画面作成が可能である。
【００５４】
コンテンツ記録再生装置１がオーディオモードでアーティスト名、曲名等の楽曲情報、再生時間等を表示する場合には、通常、これらの表示情報は作り込みができないため、表示される文字がスクロール時に文字揺れしたり滲みが現れたりしたが、液晶表示装置１００を適用したことにより、ユーザによって後から入力された文字も鮮明かつ精細に表示できる。また、鮮明に表示されるように文字を作り込む必要がないため、メモリ容量が節約でき、小型化廉価化が要求され物理的にもコスト的にも様々な制約が課せられる電子機器に対して好適に使用可能である。
【００５５】
なお、以下では、コンテンツ記録再生装置１で使用可能となるミニディスク９０の詳細について説明しておく。ミニディスク９０としては、従来の光磁気記録方式の変調方式を工夫したタイプと、従来の光磁気記録方式を採用したミニディスクの記録再生方式として通常用いられる記録フォーマットとは異なる信号方式を適用することによって秘匿性の向上と記録容量の高密度化を実現した新規タイプとがあげられる。新規タイプは、高密度記録技術及び新規ファイルシステムを適用することによって、従来のミニディスクと筐体外形及び記録再生光学系に互換性を有しつつ、記録容量の増加を実現している。
【００５６】
以下、ミニディスク９０の仕様例について説明する。まず、従来のミニディスクの仕様について説明する。
【００５７】
従来のミニディスク（及びＭＤ−ＤＡＴＡ）の物理フォーマットは、以下のように定められている。トラックピッチは、１．６μｍ、ビット長は、０．５９μｍ／ｂｉｔとなる。また、レーザ波長λは、λ＝７８０ｎｍであり、光学ヘッドの開口率は、ＮＡ＝０．４５としている。記録方式としては、グルーヴ（ディスク盤面上の溝）をトラックとして記録再生に用いるグルーヴ記録方式を採用している。また、アドレス方式は、ディスク盤面上にシングルスパイラルのグルーヴを形成し、このグルーヴの両側に対してアドレス情報としてのウォブル（Wobble）を形成したウォブルドグルーヴを利用する方式をとっている。なお、本明細書では、ウォブルとして記録される絶対アドレスをＡＤＩＰ（Address in Pregroove）ともいう。従来のミニディスクでは、記録データの変調方式としてＥＦＭ（８−１４変換）変調方式が採用されている。また、誤り訂正方式としては、ＡＣＩＲＣ（Advanced Cross Interleave Reed-Solomon Code）を用いている。また、データインターリーブには、畳み込み型を採用している。これにより、データの冗長度は、４６．３％となっている。また、従来のミニディスクにおけるデータの検出方式は、ビットバイビット方式であって、ディスク駆動方式としては、ＣＬＶ（Constant Linear Velocity）が採用されている。ＣＬＶの線速度は、１．２ｍ／ｓである。記録再生時の標準のデータレートは、１３３ｋＢ／ｓ、記録容量は、１６４ＭＢ（ＭＤ−ＤＡＴＡでは、１４０ＭＢ）である。また、データの最小書換単位（クラスタ）は、３２個のメインセクタと４個のリンクセクタによる３６セクタで構成されている。
【００５８】
これに対して、本具体例で使用するミニディスク９０のうち、従来の光磁気記録方式の変調方式を変更することで記録密度の高密度化を達成したタイプ（以下、必要に応じて第１の次世代ＭＤという。）は、上述した従来のミニディスクと記録媒体の物理的仕様が同一であって、トラックピッチは、１．６μｍ、レーザ波長λは、λ＝７８０ｎｍであり、光学ヘッドの開口率は、ＮＡ＝０．４５である。記録方式としては、グルーヴ記録方式を採用している。また、アドレス方式は、ＡＤＩＰを利用する。このように、ディスクドライブ装置における光学系の構成、ＡＤＩＰアドレス読出方式、及びサーボ処理は、従来のミニディスクと同様であるため、従来ディスクとの互換性が達成されている。また、このミニディスクは、記録データの変調方式として、高密度記録に適合したＲＬＬ（１−７）ＰＰ変調方式（ＲＬＬ：Run Length Limited、ＰＰ：Parity preserve/Prohibit rmtr（repeated minimum transition runlength））を採用している。また、誤り訂正方式としては、より訂正能力の高いＢＩＳ（Burst Indicator Subcode）付きのＲＳ−ＬＤＣ（Reed Solomon−Long Distance Code）方式を用いている。また、データインターリーブは、ブロック完結型としている。これによりデータの冗長度は、２０．５０％になる。また、データの検出方式は、ＰＲ（１，２，１）ＭＬによるビタビ復号方式を適用する。
【００５９】
この場合、ディスク駆動方式は、同様でＣＬＶ方式を用い、その線速度は、２．４ｍ／ｓとする。記録再生時の標準データレートは、４．４ＭＢ／ｓである。この方式を採用することにより、総記録容量を３００ＭＢにすることができる。変調方式をＥＦＭからＲＬＬ（１−７）ＰＰ変調方式とすることによって、ウインドウマージンが０．５から０．６６６となるため、１．３３倍の高密度化が実現できる。また、データの最小書換単位であるクラスタは、１６セクタ、６４ｋＢで構成される。このように記録変調方式をＣＩＲＣ方式からＢＩＳ付きのＲＳ−ＬＤＣ方式及びセクタ構造の差異とビタビ復号を用いる方式にすることで、データ効率が５３．７％から７９．５％となるため、１．４８倍の高密度化が実現できている。これらを総合すると、記録容量を従来ミニディスクの約２倍である３００ＭＢにすることができる。
【００６０】
また、従来の光磁気記録方式を採用したミニディスクの記録再生方式として通常用いられる記録フォーマットとは異なる信号方式を適用することによって秘匿性の向上と記録容量の高密度化を実現した新規タイプ（以下、必要に応じて、第２の次世代ＭＤという。）は、例えば、磁壁移動検出方式（ＤＷＤＤ：Domain Wall Displacement Detection）等の高密度化記録技術を適用した記録媒体であって、従来のミニディスクとは、物理フォーマットが異なっている。
【００６１】
新規タイプは、トラックピッチが１．２５μｍ、ビット長が０．１６μｍ／ｂｉｔであり、線方向に高密度化されている。また、従来ミニディスクとの互換をとるため、光学系、読出方式、サーボ処理等は、従来の規格に準じて、レーザ波長λは、λ＝７８０ｎｍ、光学ヘッドの開口率は、ＮＡ＝０．４５とする。記録方式は、グルーヴ記録方式、アドレス方式は、ＡＤＩＰを利用した方式とする。また、筐体外形も従来ミニディスクと同一規格とされている。但し、従来ミニディスクと同等の光学系を用いて、従来ミニディスクのトラックピッチよりも狭いトラックピッチ及び線密度（ビット長）を読み取る際には、デトラックマージン、ランド及びグルーヴからのクロストーク、ウォブルのクロストーク、フォーカス漏れ、ＣＴ信号等における制約条件を解消する必要がある。
【００６２】
そのため、ミニディスク９０では、グルーヴの溝深さ、傾斜、幅等が変更されている。具体的には、グルーヴの溝深さが１６０ｎｍ〜１８０ｎｍ、傾斜が６０°〜７０°、幅が６００ｎｍ〜８００ｎｍになっている。
【００６３】
また更に、新規タイプのミニディスクでは、記録データの変調方式として、高密度記録に適合したＲＬＬ（１−７）ＰＰ変調方式（ＲＬＬ：Run Length Limited、ＰＰ：Parity preserve/Prohibit rmtr（repeated minimum transition runlength））を採用している。また、誤り訂正方式としては、より訂正能力の高いＢＩＳ（Burst Indicator Subcode）付きのＲＳ−ＬＤＣ（Reed Solomon−Long Distance Code）方式を用いている。データインターリーブは、ブロック完結型とする。これによりデータの冗長度は、２０．５０％になる。またデータの検出方式は、ＰＲ（１，−１）ＭＬによるビタビ復号方式を用いる。また、データの最小書換単位であるクラスタは、１６セクタ、６４ｋＢで構成されている。
【００６４】
この場合のディスク駆動方式には、ＺＣＡＶ方式を用い、その線速度は、２．０ｍ／ｓとする。記録再生時の標準データレートは、９．８ＭＢ／ｓである。このように新規タイプは、ＤＷＤＤ方式及びこの駆動方式を採用することにより、総記録容量を１ＧＢ程度にできる。
【図面の簡単な説明】
【００６５】
【図１】本発明の具体例として示す液晶表示装置の構成を説明する図である。
【図２】通常の液晶表示装置における制御画素単位を説明する模式図である。
【図３】通常の液晶表示装置において表示される横ラインを説明する模式図である。
【図４】本発明の具体例として示す液晶表示装置における制御画素単位を説明する模式図である。
【図５】本発明の具体例として示す液晶表示装置において表示される横ラインを説明する模式図である。
【図６】通常の液晶表示装置において表示される記号の一例を説明する模式図である。
【図７】本発明の具体例として示す液晶表示装置において表示される記号の一例を説明する模式図である。
【図８】本発明の具体例として示す液晶表示装置を適用したコンテンツ記録再生装置を説明する構成図である。
【図９】本発明の具体例として示す液晶表示装置を適用したコンテンツ記録再生装置の外観を説明する図である。（ａ）は、コンテンツ記録再生装置を背面からみた図であり、（ｂ）は、コンテンツ記録再生装置を正面からみた図である。
【図１０】ストライプ型の液晶表示素子配列を有する液晶表示装置において表示される記号の一例を説明する図である。
【符号の説明】
【００６６】
１  コンテンツ記録再生装置、  ２    データ記録再生制御部、  ３    画像処理部、  ４    記録再生部、  ５    オーディオデータ入力部、  ６    オーディオデータ出力部、  ７    オーディオデータ処理部、  ８    外部インターフェイス部、  ９    入力操作部、  １０    メモリ転送コントローラ、  １１  キャッシュメモリ、  １２    システムコントローラ、  １３    画像取得部、  １４    カメラデータバッファメモリ、  １５    画像データ処理部、  １６    画像データ制御部、  １７    ＵＳＢハブ、  １８，１９    ＵＳＢインターフェイス、  ２１    表示部ドライバ、  ２２    ＬＣＤパネル、  ２３    表示フォントメモリ、  １００    液晶表示装置
【図１】
2006162708.tif 000003
【図２】
2006162708.tif 000004
【図３】
2006162708.tif 000005
【図４】
2006162708.tif 000006
【図５】
2006162708.tif 000007
【図６】
2006162708.tif 000008
【図７】
2006162708.tif 000009
【図８】
2006162708.tif 000010
【図９】
2006162708.tif 000011
【図１０】
2006162708.tif 000012